(57)【要約】【課題】寸法の異なる複数種の取付杆に対応して共通的に利用できる取付基板を有した軒樋支持具セットを提供する。【解決手段】本体部１２および取付片部１１よりなり、本体部１２で軒樋支持具本体３０を支持する取付杆１０と、取付杆１０の取付片部１１を嵌合する凹溝部２１を有する取付基板２０とを備え、取付杆１０には、相互に取付片部１１の幅寸法が同一で、相互に本体部１２の幅寸法が異なる複数種の取付杆１０、１０、１０が含まれている一方、取付基板２０には、凹溝部２１の溝幅寸法が上記同一の幅寸法の取付片部１１を嵌合できる寸法とされる取付基板２０が含まれている。【選択図】図１
2010196342.tif 000002
【特許請求の範囲】
【請求項１】
本体部および取付片部よりなり、該本体部で軒樋支持具本体を支持する取付杆と、該取付杆の取付片部を嵌合する凹溝部を有する取付基板とを備えた軒樋支持具セットであって、
上記取付杆には、相互に取付片部の幅寸法が同一で、相互に本体部の幅寸法が異なる複数種の取付杆が含まれている一方、上記取付基板には、上記凹溝部の溝幅寸法が上記同一の幅寸法の取付片部を嵌合できる寸法とされる取付基板が含まれていることを特徴とする軒樋支持具セット。
【請求項２】
請求項１において、
上記複数種の取付杆は、取付片部の幅寸法と本体部の幅寸法が同一の標準取付杆と、取付片部の幅寸法が本体部の幅寸法よりも小さい特殊取付杆とをすくなくとも含んでいる軒樋支持具セット。
【請求項３】
請求項２において、
上記特殊取付杆の本体部の上記取付片部側の端部は、上記取付片部を上記取付基板の凹溝部に嵌合したときに、該凹溝部の上端部に当接する構造となっている軒樋支持具セット。
【請求項４】
請求項１〜３のいずれか１項において、
上記取付基板の凹溝部の側壁には、該凹溝部に直交し、該取付基板の外側に膨出した補強部が形成されている軒樋支持具セット。
【発明の詳細な説明】
【技術分野】
【０００１】
本発明は、取付杆と、取付杆の取付片部を嵌合する凹溝部を有した取付基板とをすくなくとも備えた軒樋支持具セットに関する。
【背景技術】
【０００２】
従来の軒樋支持具の軒先等における固定構造として、軒樋を受け支持する受け式タイプ、軒樋を吊り支持する吊り式タイプのいずれにおいても、取付基板の中央に形成した凹溝部に取付杆の取付片部を嵌合、締結して、取付基板の両翼片部で壁等の被取付体に固定する構造が知られている（例えば、特許文献１を参照）。
【０００３】
この取付杆と取付基板の結合構造によれば、取付杆（の取付片部）と取付基板とを凹溝部においてリベット等でカシメ締結して一体化してから壁等に取付固定できるので、これらを予め一体化しておけば現場での作業を効率よく行える。
【先行技術文献】
【特許文献】
【０００４】
【特許文献１】特開２００６−１５２６３８号公報
【発明の概要】
【発明が解決しようとする課題】
【０００５】
ところで、軒樋支持具の取付杆には、受け式、吊り式いずれのタイプにおいても、支持する軒樋の大きさに対応して種々の大きさのものがあり、大きな軒樋に対応したものは、取付杆の長手方向の長さ寸法が大きいだけではなく、取付杆による支持強度を高めるために幅寸法も大きい。よって、取付杆を壁等に固定するための取付基板も、その取付杆の寸法に応じた凹溝部を形成したものが必要とされる。
【０００６】
このように、軒樋支持具の取付基板の寸法は取付杆に対応して定まるものであり、そのため、寸法の異なる複数種の取付杆のいずれにも対応できる共通的、汎用的な取付基板は、従来では存在しなかった。
【０００７】
本発明は、このような事情を考慮して提案されたもので、その目的は、寸法の異なる複数種の取付杆に対応して共通的に利用できる取付基板を有した軒樋支持具セットを提供することにある。
【課題を解決するための手段】
【０００８】
上記目的を達成するために、請求項１に記載の軒樋支持具セットは、本体部および取付片部よりなり、本体部で軒樋支持具本体を支持する取付杆と、取付杆の取付片部を嵌合する凹溝部を有する取付基板とを備えた軒樋支持具セットであって、取付杆には、相互に取付片部の幅寸法が同一で、相互に本体部の幅寸法が異なる複数種の取付杆が含まれている一方、取付基板には、凹溝部の溝幅寸法が上記同一の幅寸法の取付片部を嵌合できる寸法とされる取付基板が含まれていることを特徴とする。
【０００９】
請求項２では、複数種の取付杆は、取付片部の幅寸法と本体部の幅寸法が同一の標準取付杆と、取付片部の幅寸法が本体部の幅寸法よりも小さい特殊取付杆とをすくなくとも含んでいる。
【００１０】
請求項３に記載の軒樋支持具セットは、特殊取付杆の本体部の取付片部側の端部が、取付片部を取付基板の凹溝部に嵌合したときに、凹溝部の上端部に当接する構造となっている。
【００１１】
請求項４に記載の軒樋支持具セットは、取付基板の凹溝部の側壁に、凹溝部に直交し、取付基板の外側に膨出した補強部が形成されている。
【発明の効果】
【００１２】
請求項１に記載の軒樋支持具セットによれば、取付杆には、相互に取付片部の幅寸法が同一で、相互に本体部の幅寸法が異なる複数種の取付杆が含まれている一方、取付基板には、凹溝部の溝幅寸法が上記同一の幅寸法の取付片部を嵌合できる寸法とされる取付基板が含まれているので、複数種の取付杆と、それらに共通的に利用できる１種の取付基板とでセット物の軒樋支持具セットを構成することができ、施工現場の状況に応じて、取付基板と、いずれかの取付杆とで適切な軒樋支持具を構成して、現場の状況に応じた適切な軒樋を設置することができる。
【００１３】
請求項２に記載の軒樋支持具セットは、取付片部の幅寸法と本体部の幅寸法が同一の標準取付杆と、取付片部の幅寸法が本体部の幅寸法よりも小さい特殊取付杆とをすくなくとも含んだ構成としている。つまり、取付基板の凹溝部を、本体部の幅寸法の最も小さい標準取付杆に対応させているため、特殊取付杆については、取付片部に対応した箇所の側端を切り落とすことで適切な取付片部を形成することができる。
【００１４】
請求項３に記載の軒樋支持具セットによれば、特殊取付杆の本体部の取付片部側の端部が、取付片部を取付基板の凹溝部に嵌合したときに、凹溝部の上端部に当接する構造となっているため、大きな寸法の取付杆を使用して大きな軒樋支持具を構成した場合に、軒樋支持具を軒先等に取り付けた後に取付杆と取付基板の結合が緩んでも、取付片部の回転によるずれを確実に防止できる。
【００１５】
請求項４に記載の軒樋支持具セットによれば、取付基板の凹溝部の側壁には、凹溝部に直交し、取付基板の外側に膨出した補強部が形成されているので、大きな取付杆で軒樋支持具を構成して取付基板に大きな負荷がかかる場合であっても、取付基板が変形または破損することを防止できる。
【図面の簡単な説明】
【００１６】
【図１】本発明の軒樋支持具セットの第１の実施形態の説明図で、（ａ）、（ｂ）は同軒樋支持具セットの構成部材である取付基板の概略正面図、概略平面図であり、（ｃ）〜（ｅ）は同軒樋支持具セットの構成部材である複数種の取付杆の概略正面図である。
【図２】同軒樋支持具セットによって形成できる特殊取付杆と取付基板の結合構造を示す斜視図であり、（ａ）は分離した状態、（ｂ）は結合した状態を示しており、（ｃ）は標準取付杆に対応した結合状態を示している。
【図３】同軒樋支持具セットによって形成できる、標準取付杆を使用した軒樋支持具の取付態様を示した斜視図である。
【図４】（ａ）〜（ｃ）は、本発明の軒樋支持具セットの第２の実施形態を示す軒樋支持具の斜視図である。
【発明を実施するための形態】
【００１７】
以下に、本発明の実施の形態について、添付図面を参照しながら説明する。以下には、第１の実施形態として吊り式タイプの軒樋支持具セットを示し、第２の実施形態として受け式タイプの軒樋支持具セットを示している。
【００１８】
図１〜図３は、本発明の軒樋支持具セットの第１の実施形態を示す説明図である。この実施形態では、吊り式タイプの軒樋支持具に対応した軒樋支持具セットを示している。
【００１９】
本軒樋支持具セット１は、本体部１２で軒樋支持具本体３０（図３を参照）を支持する取付杆１０を複数備えるとともに（図１（ｃ）〜（ｅ）を参照）、取付杆１０の取付片部１１を嵌合する凹溝部２１を有した取付基板２０を１つ備えている（図１（ａ）、（ｂ）を参照）。
【００２０】
取付基板２０は、ステンレス材等の金属材等で製され、両側に形成された両翼片部２２、２２と、それらの間に形成された凹溝部２１とより構成されている。両翼片部２２、２２には、取付杆１０を凹溝部２１に嵌合して、被取付体である壁等との間に挟み込んで、取付基板２０を壁等に固定するための固定具２３用の取付孔２２ａが開設され、一方、凹溝部２１の底部２１ａには、取付杆１０を結合するためのリベットＲ用の締結孔２１ｄが開設されている。
【００２１】
また、凹溝部２１の両側壁２１ｂ、２１ｂの上下には、凹溝部２１の溝方向に直交し、取付基板２０の外側（軒樋支持具を軒先に取り付けたとき前方に露出される面）に膨出した補強用のリブ２１ｃが形成されている。
【００２２】
一方、複数の取付杆１０のそれぞれは、ステンレス材等の金属材等で製され、軒樋Ｔを支持する樋支持具本体３０を連結、支持する本体部１２と、取付基板２０の凹溝部２１に嵌合される取付片部１１とより構成されている。この取付片部１１の略中央には、取付基板２０の凹溝部２１の締結孔２１ｄと重合してリベットＲで締結するための締結孔１１ａが開設されている。
【００２３】
本実施形態の複数の取付杆１０としては、図１（ｃ）〜（ｅ）に示すように、寸法、形状の異なる３種のものを含んでおり、それらの取付杆１０は、図１（ｃ）の取付杆１０に対応した取付基板２０との結合状態を示した図２（ｂ）、および図１（ｅ）の取付杆１０に対応した取付基板２０との結合状態を示した図２（ｃ）を比較参照してもわかるように、取付片部１１の上端より延設、折曲された本体部１２の形状、寸法（幅寸法および長さ寸法）が相互に異なっている。すなわち、これら３種の取付杆１０、１０、１０は、排水許容量が異なり、樋幅寸法が異なる大小３種の軒樋Ｔに対応して使用されるものである。なお、図２（ｂ）、（ｃ）には、取付杆１０と取付基板２０とをリベットＲでカシメ止めした状態を示している。
【００２４】
図１（ｃ）、（ｄ）に示した取付杆１０、１０は、取付片部１１の幅寸法が本体部１２の幅寸法よりも小さい特殊取付杆１０Ｔ、１０Ｔであり、図１（ｅ）に示した取付杆１０は、取付片部１１の幅寸法と本体部１２の幅寸法が同一の標準取付杆１０Ｓである。
【００２５】
また、これらの取付杆１０は本体部１２の幅寸法が相互に異なる一方、取付片部１１は３種ともに、幅寸法を同一としている。なお、本実施形態に示したものは、取付片部１１の長さ寸法も全体寸法に応じて異ならせているが、同一としたものでもよい。
【００２６】
すなわち、これら３種の取付杆１０、１０、１０はいずれのものも、上記１つの取付基板２０に対して、取付片部１１を凹溝部２１に嵌合して結合させることができるものである。
【００２７】
このように、複数種の取付杆１０、１０、１０と、それらに共通的に利用できる１種の取付基板２０とを含んで構成される軒樋支持具セット１によれば、現場の状況に応じて、取付基板２０と、いずれかの取付杆１０とで、設置する軒樋Ｔに対応した適切な軒樋支持具２の構成部材を構成することができる。
【００２８】
なお、軒樋支持具セットは、共通的に使用できる１種の取付基板を複数含んでもよく、複数種の軒樋Ｔを設置することが予めわかっている場合等に対応して、それらの寸法に応じた取付杆１０と、それらの取付杆１０の数分の取付基板２０とを組み合わせて軒樋支持具セットを構成してもよい。
【００２９】
本実施形態では、取付基板２０の凹溝部２１を、本体部１２の幅寸法の最も小さい標準取付杆１０Ｓに対応させているため、特殊取付杆１０Ｔについては、取付片部１１に対応した箇所の側端を切り落とすことで適切な取付片部１１を形成することができる。
【００３０】
また、特殊取付杆１０Ｔについては、特殊取付杆１０Ｔの本体部１２の取付片部１１側の端部が、取付片部１１を取付基板２０の凹溝部２１に嵌合したときに、凹溝部２１の上端部２１ｅの端面に当接する構造となっている。このように本体部１２の取付片部１１側の端部は、凹溝部２１の上端部２１ｅに当接することで回り止め片１２ａを構成し、それによって、大きな寸法の取付杆１０を使用して大きな軒樋支持具２を構成した場合であっても、取付片部１１の凹溝部２１内での回転によるずれを禁止できる。
【００３１】
さらに、凹溝部２１の両側壁２１ｂ、２１ｂの複数個所に取付基板２０の外側に膨出した補強用のリブ２１ｃが形成されているので、大きな寸法の特殊取付杆１０Ｔで軒樋支持具２を構成して取付基板２０に大きな負荷がかかる場合であっても、取付後に大きな負荷によって取付基板２０が変形または破損することを防止できる。
【００３２】
以上のようにして結合させた、いずれかの取付杆１０と取付基板２０とは、さらにその取付杆１０の本体部１２の連結孔１２ｂａを有した連結部１２ｂに樋支持具本体３０が連結され、３部材が一体となって軒樋支持具２を構成する。
【００３３】
樋支持具本体３０は、図３に示すように、取付杆１０との連結用に本体板３１に長孔３２を備え、取付杆１０との連結位置を、長孔３２内のスライドによって変えることで、軒樋Ｔの軒先からの出具合の調節を可能としている。また、取付杆１０との連結は、長孔３２を介して取付杆１０に固定具止めした、水平方向に回転可能な回転ロックレバー３３によりなされる。
【００３４】
これら樋支持具本体３０、取付杆１０、取付基板２０の各部材が連結されて一体となった軒樋支持具２は、取付基板２０をねじなどの固定具２３で壁等に取り付けて固定され、その状態で軒樋Ｔの前後を本体板３１の前後端に設けた樋掛止部３４、３４で引っ掛けた状態にして軒樋Ｔを吊り支持する。
【００３５】
以上の第１の実施形態では、吊り式タイプの軒樋支持具として、出具合調節可能な樋支持具本体に連結可能な取付杆を含んだものを示したが、出具合調節ができない樋支持具本体に対応したものでもよいし、取付杆自身で軒樋Ｔを吊り支持できるものであってもよい。
【００３６】
ついで、図４を参照しながら、本発明の軒樋支持具セットの第２の実施形態について説明する。
【００３７】
図４（ａ）〜（ｃ）は、同軒樋支持具セットによって構成できる、大きさの異なる３種の受け式タイプの軒樋支持具を示す斜視図である。
【００３８】
この軒樋支持具セット１は、大きさの異なる本体部１２を有した３種の取付杆１０、１０、１０（図４（ａ）、（ｂ）に示した特殊取付杆１０Ｔ、１０Ｔおよび図４（ｃ）に示した標準取付杆１０Ｓ）と、それらの取付杆１０の取付片部１１を嵌合できる凹溝部２１を有した、３つの取付基板２０とを備えている。また、この軒樋支持具セット１に含まれる取付杆１０の本体部１２は、半円形の軒樋（不図示）を直接受け支持できるように、軒樋の外形に沿った湾曲形状となっている。
【００３９】
取付基板２０と取付杆１０の取付片部１１との結合構造については、第１の実施形態と同様であるため、同一の符号を付してその説明は省略する。また、本実施形態に示した軒樋支持具セット１によって、第１の実施形態と同様の効果が奏せられることはいうまでもない。
【符号の説明】
【００４０】
１      軒樋支持具セット
２      軒樋支持具
１０      取付杆
１０Ｓ      標準取付杆
１０Ｔ      特殊取付杆
１１      取付片部
１２      本体部
１２ａ      回り止め片
２０      取付基板
２１      凹溝部
２１ａ      底部
２１ｂ      側壁
２１ｃ      リブ（補強部）
２１ｅ      上端部
２２      両翼片部
３０      樋支持具本体
【図１】
2010196342.tif 000003
【図２】
2010196342.tif 000004
【図３】
2010196342.tif 000005
【図４】
2010196342.tif 000006
【手続補正書】
【提出日】平成22年1月27日(2010.1.27)
【手続補正１】
【補正対象書類名】明細書
【補正対象項目名】全文
【補正方法】変更
【補正の内容】
【発明の詳細な説明】
【技術分野】
【０００１】
本発明は、取付杆と、取付杆の取付片部を嵌合する凹溝部を有した取付基板とをすくなくとも備えた軒樋支持具セットに関する。
【背景技術】
【０００２】
従来の軒樋支持具の軒先等における固定構造として、軒樋を受け支持する受け式タイプ、軒樋を吊り支持する吊り式タイプのいずれにおいても、取付基板の中央に形成した凹溝部に取付杆の取付片部を嵌合、締結して、取付基板の両翼片部で壁等の被取付体に固定する構造が知られている（例えば、特許文献１を参照）。
【０００３】
この取付杆と取付基板の結合構造によれば、取付杆（の取付片部）と取付基板とを凹溝部においてリベット等でカシメ締結して一体化してから壁等に取付固定できるので、これらを予め一体化しておけば現場での作業を効率よく行える。
【先行技術文献】
【特許文献】
【０００４】
【特許文献１】特開２００６−１５２６３８号公報
【発明の概要】
【発明が解決しようとする課題】
【０００５】
ところで、軒樋支持具の取付杆には、受け式、吊り式いずれのタイプにおいても、支持する軒樋の大きさに対応して種々の大きさのものがあり、大きな軒樋に対応したものは、取付杆の長手方向の長さ寸法が大きいだけではなく、取付杆による支持強度を高めるために幅寸法も大きい。よって、取付杆を壁等に固定するための取付基板も、その取付杆の寸法に応じた凹溝部を形成したものが必要とされる。
【０００６】
このように、軒樋支持具の取付基板の寸法は取付杆に対応して定まるものであり、そのため、寸法の異なる複数種の取付杆のいずれにも対応できる共通的、汎用的な取付基板は、従来では存在しなかった。
【０００７】
本発明は、このような事情を考慮して提案されたもので、その目的は、寸法の異なる複数種の取付杆に対応して共通的に利用できる取付基板を有した軒樋支持具セットを提供することにある。
【課題を解決するための手段】
【０００８】
上記目的を達成するために、請求項１に記載の軒樋支持具セットは、本体部および取付片部よりなり、本体部で軒樋支持具本体を支持する取付杆と、取付杆の取付片部を嵌合する凹溝部を有する取付基板とを備えた軒樋支持具セットであって、取付杆には、相互に取付片部の幅寸法が同一で、相互に本体部の幅寸法が異なる複数種の取付杆が含まれている一方、取付基板には、凹溝部の溝幅寸法が上記同一の幅寸法の取付片部を嵌合できる寸法とされる取付基板が含まれていることを特徴とする。
【０００９】
請求項２では、複数種の取付杆は、取付片部の幅寸法と本体部の幅寸法が同一の標準取付杆と、取付片部の幅寸法が本体部の幅寸法よりも小さい特殊取付杆とをすくなくとも含んでいる。
【００１０】
請求項３に記載の軒樋支持具セットは、特殊取付杆の本体部の取付片部側の端部が、取付片部を取付基板の凹溝部に嵌合したときに、凹溝部の上端部に当接する構造となっている。
【００１１】
請求項４に記載の軒樋支持具セットは、取付基板の凹溝部の側壁に、凹溝部に直交し、取付基板の外側に膨出した補強部が形成されている。
【発明の効果】
【００１２】
請求項１に記載の軒樋支持具セットによれば、取付杆には、相互に取付片部の幅寸法が同一で、相互に本体部の幅寸法が異なる複数種の取付杆が含まれている一方、取付基板には、凹溝部の溝幅寸法が上記同一の幅寸法の取付片部を嵌合できる寸法とされる取付基板が含まれているので、複数種の取付杆と、それらに共通的に利用できる１種の取付基板とでセット物の軒樋支持具セットを構成することができ、施工現場の状況に応じて、取付基板と、いずれかの取付杆とで適切な軒樋支持具を構成して、現場の状況に応じた適切な軒樋を設置することができる。
【００１３】
請求項２に記載の軒樋支持具セットは、取付片部の幅寸法と本体部の幅寸法が同一の標準取付杆と、取付片部の幅寸法が本体部の幅寸法よりも小さい特殊取付杆とをすくなくとも含んだ構成としている。つまり、取付基板の凹溝部を、本体部の幅寸法の最も小さい標準取付杆に対応させているため、特殊取付杆については、取付片部に対応した箇所の側端を切り落とすことで適切な取付片部を形成することができる。
【００１４】
請求項３に記載の軒樋支持具セットによれば、特殊取付杆の本体部の取付片部側の端部が、取付片部を取付基板の凹溝部に嵌合したときに、凹溝部の上端部に当接する構造となっているため、大きな寸法の取付杆を使用して大きな軒樋支持具を構成した場合に、軒樋支持具を軒先等に取り付けた後に取付杆と取付基板の結合が緩んでも、取付片部の回転によるずれを確実に防止できる。
【００１５】
請求項４に記載の軒樋支持具セットによれば、取付基板の凹溝部の側壁には、凹溝部に直交し、取付基板の外側に膨出した補強部が形成されているので、大きな取付杆で軒樋支持具を構成して取付基板に大きな負荷がかかる場合であっても、取付基板が変形または破損することを防止できる。
【図面の簡単な説明】
【００１６】
【図１】本発明の軒樋支持具セットの第１の実施形態の説明図で、（ａ）、（ｂ）は同軒樋支持具セットの構成部材である取付基板の概略正面図、概略平面図であり、（ｃ）〜（ｅ）は同軒樋支持具セットの構成部材である複数種の取付杆の概略正面図である。
【図２】同軒樋支持具セットによって形成できる特殊取付杆と取付基板の結合構造を示す斜視図であり、（ａ）は分離した状態、（ｂ）は結合した状態を示しており、（ｃ）は標準取付杆に対応した結合状態を示している。
【図３】同軒樋支持具セットによって形成できる、標準取付杆を使用した軒樋支持具の取付態様を示した斜視図である。
【図４】（ａ）〜（ｃ）は、本発明の軒樋支持具セットの第２の実施形態を示す軒樋支持具の斜視図である。
【発明を実施するための形態】
【００１７】
以下に、本発明の実施の形態について、添付図面を参照しながら説明する。以下には、第１の実施形態として吊り式タイプの軒樋支持具セットを示し、第２の実施形態として受け式タイプの軒樋支持具セットを示している。
【００１８】
図１〜図３は、本発明の軒樋支持具セットの第１の実施形態を示す説明図である。この実施形態では、吊り式タイプの軒樋支持具に対応した軒樋支持具セットを示している。
【００１９】
本軒樋支持具セット１は、本体部１２で軒樋支持具本体３０（図３を参照）を支持する取付杆１０を複数備えるとともに（図１（ｃ）〜（ｅ）を参照）、取付杆１０の取付片部１１を嵌合する凹溝部２１を有した取付基板２０を１つ備えている（図１（ａ）、（ｂ）を参照）。
【００２０】
取付基板２０は、ステンレス材等の金属材等で製され、両側に形成された両翼片部２２、２２と、それらの間に形成された凹溝部２１とより構成されている。両翼片部２２、２２には、取付杆１０を凹溝部２１に嵌合して、被取付体である壁等との間に挟み込んで、取付基板２０を壁等に固定するための固定具２３用の取付孔２２ａが開設され、一方、凹溝部２１の底部２１ａには、取付杆１０を結合するためのリベットＲ用の締結孔２１ｄが開設されている。
【００２１】
また、凹溝部２１の両側壁２１ｂ、２１ｂの上下には、凹溝部２１の溝方向に直交し、取付基板２０の外側（軒樋支持具を軒先に取り付けたとき前方に露出される面）に膨出した補強用のリブ２１ｃが形成されている。
【００２２】
一方、複数の取付杆１０のそれぞれは、ステンレス材等の金属材等で製され、軒樋Ｔを支持する軒樋支持具本体３０を連結、支持する本体部１２と、取付基板２０の凹溝部２１に嵌合される取付片部１１とより構成されている。この取付片部１１の略中央には、取付基板２０の凹溝部２１の締結孔２１ｄと重合してリベットＲで締結するための締結孔１１ａが開設されている。
【００２３】
本実施形態の複数の取付杆１０としては、図１（ｃ）〜（ｅ）に示すように、寸法、形状の異なる３種のものを含んでおり、それらの取付杆１０は、図１（ｃ）の取付杆１０に対応した取付基板２０との結合状態を示した図２（ｂ）、および図１（ｅ）の取付杆１０に対応した取付基板２０との結合状態を示した図２（ｃ）を比較参照してもわかるように、取付片部１１の上端より延設、折曲された本体部１２の形状、寸法（幅寸法および長さ寸法）が相互に異なっている。すなわち、これら３種の取付杆１０、１０、１０は、排水許容量が異なり、樋幅寸法が異なる大小３種の軒樋Ｔに対応して使用されるものである。なお、図２（ｂ）、（ｃ）には、取付杆１０と取付基板２０とをリベットＲでカシメ止めした状態を示している。
【００２４】
図１（ｃ）、（ｄ）に示した取付杆１０、１０は、取付片部１１の幅寸法が本体部１２の幅寸法よりも小さい特殊取付杆１０Ｔ、１０Ｔであり、図１（ｅ）に示した取付杆１０は、取付片部１１の幅寸法と本体部１２の幅寸法が同一の標準取付杆１０Ｓである。
【００２５】
また、これらの取付杆１０は本体部１２の幅寸法が相互に異なる一方、取付片部１１は３種ともに、幅寸法を同一としている。なお、本実施形態に示したものは、取付片部１１の長さ寸法も全体寸法に応じて異ならせているが、同一としたものでもよい。
【００２６】
すなわち、これら３種の取付杆１０、１０、１０はいずれのものも、上記１つの取付基板２０に対して、取付片部１１を凹溝部２１に嵌合して結合させることができるものである。
【００２７】
このように、複数種の取付杆１０、１０、１０と、それらに共通的に利用できる１種の取付基板２０とを含んで構成される軒樋支持具セット１によれば、現場の状況に応じて、取付基板２０と、いずれかの取付杆１０とで、設置する軒樋Ｔに対応した適切な軒樋支持具２の構成部材を構成することができる。
【００２８】
なお、軒樋支持具セットは、共通的に使用できる１種の取付基板を複数含んでもよく、複数種の軒樋Ｔを設置することが予めわかっている場合等に対応して、それらの寸法に応じた取付杆１０と、それらの取付杆１０の数分の取付基板２０とを組み合わせて軒樋支持具セットを構成してもよい。
【００２９】
本実施形態では、取付基板２０の凹溝部２１を、本体部１２の幅寸法の最も小さい標準取付杆１０Ｓに対応させているため、特殊取付杆１０Ｔについては、取付片部１１に対応した箇所の側端を切り落とすことで適切な取付片部１１を形成することができる。
【００３０】
また、特殊取付杆１０Ｔについては、特殊取付杆１０Ｔの本体部１２の取付片部１１側の端部が、取付片部１１を取付基板２０の凹溝部２１に嵌合したときに、凹溝部２１の上端部２１ｅの端面に当接する構造となっている。このように本体部１２の取付片部１１側の端部は、凹溝部２１の上端部２１ｅに当接することで回り止め片１２ａを構成し、それによって、大きな寸法の取付杆１０を使用して大きな軒樋支持具２を構成した場合であっても、取付片部１１の凹溝部２１内での回転によるずれを禁止できる。
【００３１】
さらに、凹溝部２１の両側壁２１ｂ、２１ｂの複数個所に取付基板２０の外側に膨出した補強用のリブ２１ｃが形成されているので、大きな寸法の特殊取付杆１０Ｔで軒樋支持具２を構成して取付基板２０に大きな負荷がかかる場合であっても、取付後に大きな負荷によって取付基板２０が変形または破損することを防止できる。
【００３２】
以上のようにして結合させた、いずれかの取付杆１０と取付基板２０とは、さらにその取付杆１０の本体部１２の連結孔１２ｂａを有した連結部１２ｂに軒樋支持具本体３０が連結され、３部材が一体となって軒樋支持具２を構成する。
【００３３】
軒樋支持具本体３０は、図３に示すように、取付杆１０との連結用に本体板３１に長孔３２を備え、取付杆１０との連結位置を、長孔３２内のスライドによって変えることで、軒樋Ｔの軒先からの出具合の調節を可能としている。また、取付杆１０との連結は、長孔３２を介して取付杆１０に固定具止めした、水平方向に回転可能な回転ロックレバー３３によりなされる。
【００３４】
これら軒樋支持具本体３０、取付杆１０、取付基板２０の各部材が連結されて一体となった軒樋支持具２は、取付基板２０をねじなどの固定具２３で壁等に取り付けて固定され、その状態で軒樋Ｔの前後を本体板３１の前後端に設けた樋掛止部３４、３４で引っ掛けた状態にして軒樋Ｔを吊り支持する。
【００３５】
以上の第１の実施形態では、吊り式タイプの軒樋支持具として、出具合調節可能な軒樋支持具本体に連結可能な取付杆を含んだものを示したが、出具合調節ができない軒樋支持具本体に対応したものでもよいし、取付杆自身で軒樋Ｔを吊り支持できるものであってもよい。
【００３６】
ついで、図４を参照しながら、本発明の軒樋支持具セットの第２の実施形態について説明する。
【００３７】
図４（ａ）〜（ｃ）は、同軒樋支持具セットによって構成できる、大きさの異なる３種の受け式タイプの軒樋支持具を示す斜視図である。
【００３８】
この軒樋支持具セット１は、大きさの異なる本体部１２を有した３種の取付杆１０、１０、１０（図４（ａ）、（ｂ）に示した特殊取付杆１０Ｔ、１０Ｔおよび図４（ｃ）に示した標準取付杆１０Ｓ）と、それらの取付杆１０の取付片部１１を嵌合できる凹溝部２１を有した、３つの取付基板２０とを備えている。また、この軒樋支持具セット１に含まれる取付杆１０の本体部１２は、半円形の軒樋（不図示）を直接受け支持できるように、軒樋の外形に沿った湾曲形状となっている。
【００３９】
取付基板２０と取付杆１０の取付片部１１との結合構造については、第１の実施形態と同様であるため、同一の符号を付してその説明は省略する。また、本実施形態に示した軒樋支持具セット１によって、第１の実施形態と同様の効果が奏せられることはいうまでもない。
【符号の説明】
【００４０】
１      軒樋支持具セット
２      軒樋支持具
１０      取付杆
１０Ｓ      標準取付杆
１０Ｔ      特殊取付杆
１１      取付片部
１２      本体部
１２ａ      回り止め片
２０      取付基板
２１      凹溝部
２１ａ      底部
２１ｂ      側壁
２１ｃ      リブ（補強部）
２１ｅ      上端部
２２      両翼片部
３０      軒樋支持具本体